(57)【特許請求の範囲】
【請求項１】
１コマあたりに標準サイズの小パーフォレーションと、この小パーフォレーションよりも大きな大パーフォレーションとがそれぞれ１個ずつ設けられた写真フイルムが予め装填され、小パーフォレーションに噛合する小歯と大パーフォレーションに噛合する大歯とが外周に設けられ、撮影後の１コマ巻き上げにより回転してシャッタチャージやフイルム巻止めを行う従動スプロケットを備えたことを特徴とするレンズ付きフイルムユニット。
【請求項２】
前記大歯は、内部が肉抜きされていることを特徴とする請求項１記載のレンズ付きフイルムユニット。
【請求項３】
前記大歯は、パーフォレーションの付勢よりも強い力で押圧されると、従動スプロケット内に入り込む方向に弾性変形するように一部が切り欠かれていることを特徴とする請求項１及び２記載のレンズ付きフイルムユニット。
【請求項４】
前記従動スプロケットには、大歯と小歯とが回転対称で二対設けられていることを特徴とする請求項１ないし３いずれか記載のレンズ付きフイルムユニット。
【発明の詳細な説明】
【０００１】
【産業上の利用分野】
本発明は、レンズ付きフイルムユニットに関し、更に詳しくは、写真フイルムパトローネの詰め替え防止に関するものである。
【０００２】
【従来の技術】
撮影レンズやシャッタ機構等の撮影機構が組み込まれ、予め写真フイルムとパトローネとが装填されたレンズ付きフィルムユニット、例えば「写ルンですSuper800」（商品名）等が本出願人より製造販売されている。このようなレンズ付きフィルムユニットでは、撮影を行うごとにパトローネのスプールに係合された巻上げノブを回転操作して、撮影済みの写真フイルムを１コマ分だけパトローネ内に巻き上げるようになっている。写真フイルムには、パーフォレーションに従動スプロケットの歯が噛合されており、この従動スプロケットは写真フイルムの移動によって１回転して、シャッタチャージやフイルムの巻き止め、更には撮影枚数表示板の回動等も行っている。
【０００３】
ところで、特開平５−１９３６８号公報では、撮影画面の１コマあたりに２個のパーフォレーションを形成した写真フイルムが提案されている。これらの２個のパーフォレーションは、各コマごとにコマの先頭に対応する位置とコマの後端に対応する位置とに設けられており、これらのパーフォレーション間に各コマが撮影されることを前提としている。このためパーフォレーションは、１コマ分の長さを決めるための長い間隔と、各コマの相互間隔を決めるための短い間隔との２種類の間隔で交互に並んでいる。
【０００４】
【発明が解決しようとする課題】
上記レンズ付きフイルムユニットは、資源の有効利用の観点から、使用後に回収されて再利用することが行われている。しかしながら、単に写真フイルムやパトローネのみを詰め替えるだけでは、撮影機構の劣化等が発生している場合に初期の性能を確保することができなくなるばかりでなく、写真フイルムに擦り傷を発生させるおそれもある。したがって、回収されたレンズ付きフイルムユニットは、部品の再利用のための検査装置などで各種機能検査や洗浄等が行われている。このため、不用意なフイルムの詰め替えなどを阻止する必要がある。この不用意な詰め替え阻止手段は種々提案されており、各々の提案は特有の効果を有しているが、再利用が不可能なほど破壊されてしまう場合もあったり、部品点数や組み立て作業工程数が増えることもあるという問題も少なからずある。
【０００５】
本発明は上記課題を解決するためのものであり、使用後のレンズ付きフイルムユニットへの不用意な写真フイルムパトローネの詰め替えを簡単な構成で阻止することを目的とする。
【０００６】
【課題を解決するための手段】
上記課題を解決するために、請求項１記載のレンズ付きフイルムユニットは、１コマあたりに標準サイズの小パーフォレーションと、この小パーフォレーションよりも大きな大パーフォレーションとがそれぞれ１個ずつ設けられた写真フイルムを予め装填し、小パーフォレーションに噛合する小歯と大パーフォレーションに噛合する大歯とが外周に設けられ、撮影後の１コマ巻き上げにより回転してシャッタチャージやフイルム巻止めを行う従動スプロケットを備えたものである。また、請求項２記載のレンズ付きフイルムユニットは、大歯の内部を肉抜きしたものである。
【０００７】
更に、請求項３記載のレンズ付きフイルムユニットは、大歯がパーフォレーションの付勢よりも強い力で押圧されると、従動スプロケット内に入り込む方向に弾性変形するように、大歯の一部に切欠を設けたものである。
【０００８】
また、請求項４記載のレンズ付きフイルムユニットは、従動スプロケットに、大歯と小歯とを回転対称で二対設けたものである。
【０００９】
【作用】
使用後のレンズ付きフイルムユニットから撮影済みの写真フイルムを取り出し、未使用の写真フイルムを詰め替えようとすると、市販の写真フイルムの標準サイズのパーフォレーションは、従動スプロケットの大歯と大きさが合わないため詰め替えができない。また、標準サイズのパーフォレーションに噛合できるように従動スプロケットの大歯に加工が施されても、大歯は内部が肉抜きされているので破断して従動スプロケットから取れてしまうので、やはり写真フイルムの詰め替えはできない。
【００１０】
また、小歯が小パーフォレーションへの噛合に失敗して大パーフォレーションに噛合した場合には、大パーフォレーションが写真フイルムと干渉して写真フイルムの巻き上げができなくなることがある。しかしながら、大歯の一部に切欠を設けておくと、大歯が写真フイルムに当接したときに従動スプロケット内に入り込む方向に変形するので、従動スプロケットはそのまま回転することができ、１コマ分のコマ送りミスで済む。
【００１１】
【実施例】
図２は、本発明のレンズ付きフイルムユニットの外観を示すものである。レンズ付きフイルムユニット２は、写真フイルムパトローネや各種撮影機構が内蔵されたユニット本体３とこれを収納する紙箱４とから構成されている。紙箱４は、ユニット本体３に組み込まれた巻上げノブ５，シャッタボタン６等を露呈させるような輪郭となっており、また、撮影レンズ７，ファインダ８及び撮影枚数表示窓９等を露出させるための穴が設けられている。
【００１２】
ユニット本体３は、図３に示すように、本体基部１２、後カバー１３、露光ユニット１４、及び前カバー１５とから構成されている。本体基部１２の前面には、露光ユニット１４が着脱自在に取り付けられる。露光ユニット１４は、撮影レンズ７を備えた露光付与機構、フイルム巻き上げ機構、及びシャッタチャージ機構等が組み込まれており、これらはユニット化されている。後カバー１３は、本体基部１２の背後に着脱自在に取り付けられ、本体基部１２との間でパトローネ付き写真フイルム１６を光密に収納する。
【００１３】
前カバー１５は、本体基部１２の前面に着脱自在に取り付けられる。この前カバー１５の上面には、一部を切り欠いて弾性自在に形成したシャッタボタン６が設けられている。このシャッタボタン６の下部には、押圧ロッド１８が設けられており、詳しくは後述する露光ユニット１４の構成部品を押圧して露光付与機構を作動させる。
【００１４】
本体基部１２には、パトローネ２０を収納するためのパトローネ収納室２１と、パトローネ２０から全部引き出した未露光の写真フイルム２２をフイルムロール２２ａの形態で収納するためのフイルムロール室２３とが一体成形されている。本実施例では、フイルムロール２２ａを巻芯２４に巻き付けて形成している。この巻芯２４は、後カバー１３に設けた一対のフォーク２５，２６によって上下端がフイルムロール２２ａの内部で回動自在に支持される。なお、巻芯２４を省略したフイルムロール２２ａをフイルムロール室２３に収納するようにしてもよい。この場合には、一対のフォーク２５，２６も省略することができる。
【００１５】
パトローネ収納室２１とフイルムロール室２３との底は開口となっており、パトローネ付き写真フイルム１６を装填した後に、後カバー１３に設けたプルトップ式の底蓋２８，２９によってそれぞれ塞がれる。
【００１６】
パトローネ収納室２１とフイルムロール室２３との間には、暗箱３１が設けられている。暗箱３１の背面側には露光開口が形成されている。この露光開口は、ここを通るフイルム面とともに撮影レンズ７を通る光軸７ａを中心として湾曲した形状となっている。また後カバー１３には、フイルム面に対峙する部分にフイルム支持面３２が形成されている。このフイルム支持面３２もフイルム面と同じに湾曲している。なお、暗箱３１を露光ユニット１４に設けてもよい。また、暗箱３１を分割して一部を露光ユニット１４に、他部を本体基部１２に設け、露光ユニット１４を本体基部１２に取り付けることで暗箱３１が形成されるようにしてもよい。
【００１７】
暗箱３１の前面側には、撮影レンズ７を透過した被写体光を露光開口に導くための開口３４が形成されている。また、暗箱３１の上方には、詳しくは後述する従動スプロケットを写真フイルム２２に向けて露呈させるための開口３１ａが形成されている。この開口３１ａは、撮影レンズ７側から見た露光開口に対して上方左側に形成されている。
【００１８】
巻き上げノブ５は、パトローネ収納室２１の上面に回動自在に配置され、パトローネ収納室２１に装填されたパトローネ２０のスプール３６に係合している。この巻き上げノブ５は、一部が後カバー１３から露呈されており、この露呈された部分をフイルム巻き上げ方向（図中反時計方向）に回転させることにより、スプール３６がフイルム巻き取り方向に回転して撮影済みの写真フイルム２２をパトローネ２０の内部に収納する。
【００１９】
巻き上げノブ５の外周には歯列５ａが形成されている。この歯列５ａには、本体基部１２に設けた逆止爪３７が係合している。逆止爪３７は、巻き上げノブ５がフイルム巻き上げ方向とは逆の方向（図中時計方向）に回転操作されることを禁止している。
【００２０】
写真フイルム２２は、写真フイルム２２の後端がスプール３６に係止されており、図４に示すように、フイルム先端部２２ｂ、フイルム露光部２２ｃ、及びフイルム後端部２２ｄとから構成されている。フイルム露光部２２ｃには、一方の側縁に沿ってサイズの異なった大小２個のパーフォレーション３９，４０が２種類の間隔で交互に配列されており、間隔の長いパーフォレーション３９，４０の間の中心を前記露光開口のフイルム給送方向（長手方向）の中心に合わせた状態で露光を行いコマ４１が形成される。
【００２１】
写真フイルム２２は、レンズ付きフイルムユニット２専用のものであり、一般のカメラに用いられる市販の写真フイルムに追加工が施されている。写真フイルム２２と市販の写真フイルムとの差異は、コマ４１の先頭側に配置されるパーフォレーション３９の大きさである。市販の写真フイルムの標準サイズのパーフォレーション３９は、パーフォレーション４０と同サイズとされているが、写真フイルム２２のパーフォレーション３９は、フイルム巻き上げ方向の上流側に大きく広げられている。
【００２２】
また、写真フイルム２２には、フイルム先端部２２ｂ側のコマ４１ａ（レンズ付きフイルムユニット２では最終コマ）とフイルム後端部２２ｄ側のコマ４１ｂ（レンズ付きフイルムユニット２では最初のコマ）の隣にそれぞれ大小のパーフォレーション３９ａ，４０ａが１個ずつ形成され、短い間隔で並んだ大小のパーフォレーション３９，４０が必ず対となるようにされている。フイルム先端部２２ｂの大パーフォレーション３９ａは、市販形態の写真フイルムに予め形成されたパーフォレーションを大きく加工したものであり、また、フイルム後端部２２ｄの小パーフォレーション４０ａは市販形態の写真フイルムには形成されておらず、新たに形成したものである。
【００２３】
これによりレンズ付きフイルムユニット２に専用で用いられる写真フイルム２２には、大パーフォレーション３９が乳剤面側から見てコマ４１の左上、すなわちコマ４１に対してフイルム巻き上げ方向側に配列される。この大パーフォレーション３９は、小パーフォレーション４０よりもフイルム給送方向に沿った長さが長くされている。他方の小パーフォレーション４０はコマ４１の右上、すなわち、コマ４１に対してフイルム巻き上げ方向とは逆側に配列されており、当然大パーフォレーション３９よりもフイルム給送方向に沿った長さが短くなっている。そして、どちらのパーフォレーション３９，４０もフイルム幅方向の長さは同じとされている。
【００２４】
露光ユニット１４には、露光付与機構，フイルム巻き止め機構，及びシャッタチャージ機構の他に、フイルムカウンタ機構が設けられている。これらの機構は、図５に示すように、暗箱３１を構成するベース板４３の上面に形成された軸４４に順に挿入されるシャッタ駆動レバー４５，枚数表示板４６と、軸４７に順に挿入される捩じりバネ４８，係止レバー４９と、軸受け開口５０に挿入される回転部材５１と、従動スプロケット５２，板バネ５３，シャッタ羽根５４とから構成されている。
【００２５】
従動スプロケット５２は、回転部材５１の下部に係合されて、暗箱３１の上部の開口３１ａからフイルム面に向けて露呈される。従動スプロケット５２の円周面５２ａには、短い間隔で並んだ一対の大小パーフォレーション３９，４０に順次に噛合する一対の大小の歯５６，５７が、円周面５２ａ上に１８０°の回転対称で２対もうけられており、１コマ分のフイルム移送に従動して半回転する。この円周面５２ａの長さとしては写真フイルムの１コマ分の長さと同じか、或いはこれよりも短くするのが望ましい。なお、従動スプロケット５２の従動方向は、同図に示す反時計方向である。
【００２６】
図１（Ａ），（Ｂ）に示すように、大歯５６は、フイルム給送方向の長さＷが小パーフォレーション４０の幅Ｗ１よりも長く、大パーフォレーション３９の幅Ｗ２よりも僅かに短いサイズで形成されており、大パーフォレーション３９にのみ噛合できるようになっている。これにより、図中破線で示す標準サイズのパーフォレーション５８を有する市販の写真フイルムが装填されても、大歯５６とパーフォレーション５８とが噛合できないので、写真フイルムの詰め替えを防止することができる。
【００２７】
また、大歯５６は、内部に肉抜き部５９が形成されており、一端５６ａで従動スプロケット５２の円周面５２ａに連結されている。この一端５６ａの肉厚Ｗ３は、大パーフォレーション３９の幅Ｗ２と標準サイズパーフォレーション５８の幅Ｗ４との差（Ｗ２−Ｗ４）よりも細く形成されている。そのため、市販の写真フイルムのパーフォレーション５８に噛合できるようにするために大歯５６に切削加工等が施されると、大歯５６の一端５６ａが破断されて従動スプロケット５２から取れてしまうので、確実に写真フイルムの詰め替えを防止することができる。
【００２８】
また、大歯５６を一端５６ａのみで従動スプロケット５２に連結したことにより、大歯５６には一端５６ａを中心にして変形が可能な弾性が付与されている。例えば、小歯５７が小パーフォレーション４０への噛合に失敗して大パーフォレーション３９に噛合した場合、大歯５６は噛合するパーフォレーションが存在しないため写真フイルム２２の平面に突き当たることになる。この突き当たった大歯が弾性の付与されていないものならば、写真フイルム２２と大歯とが干渉して写真フイルム２２の巻き上げができなくなり、そのレンズ付きフイルムユニット２は使用不可能となってしまう。
【００２９】
しかしながら、本発明のレンズ付きフイルムユニットでは、大歯５６が写真フイルム２２の平面に対して突き当たっても、図中に２点鎖線で示すように、大歯５６は一端５６ａを中心にして従動スプロケット５２内に入り込む方向に弾性変形するので、従動スプロケット５２は従動回転が可能となり写真フイルムの１コマ分のズレだけで済む。また、大歯５６は、一端５６ａの太さの調整によって、大パーフォレーション３９による付勢よりも強く押圧されたときだけ弾性変形するようになっているので、平常時の従動回転に何ら支障をきたすことはない。
【００３０】
小歯５７は、小パーフォレーション４０に噛合するサイズとなっている。そして、写真フイルムの１コマ移送では、一対の歯のうち小歯５７が小パーフォレーション４０から外れ、大歯５６が大パーフォレーション３９に確実に係合した状態で完了する。
【００３１】
図５に示すように、回転部材５１は、下方から被押圧部６０，シャッタチャージカム６１，巻止めカム６２，二歯ギヤ６３とから構成されており、これらは一体に形成されている。被押圧部６０には、板バネ５３が押しつけられており、従動スプロケット５２が写真フイルム２２のパーフォレーション３９，４０の何れとも噛合していないときに、板バネ５３が自身の弾性によって被押圧部６０に設けられた突起６０ａを押圧して回転部材５１を従動方向に回動させる。これにより、従動スプロケット５２の歯５７は、次のパーフォレーション４０に噛合可能な位置に移動されることになる。
【００３２】
捩じりバネ４８は、一端４８ａがシャッタ駆動レバー４５を反時計方向（レリーズ完了位置）に向けて付勢し、他端４８ｂが係止レバー４９を時計方向（巻き止め位置）に向けて付勢している。係止レバー４９は、捩じりバネ４８の付勢によって爪部４９ａが巻止めカム６２の外周に当接されている。１コマ分の写真フイルムの巻き上げにより回転部材５１が半回転すると、シャッタ駆動レバー４５はシャッタチャージカム５８によって時計方向（チャージ位置）に向けて回動される。
【００３３】
また、係止レバー４９は、回転部材５１が半回転するごとに爪部４９ａが巻止めカム６２の溝６２ａに合致するので、捩じりバネ４８の付勢によって時計方向に僅かに回動される。係止レバー４９が時計方向に回動されると、係止レバー４９の下突条部４９ｂがシャッタ駆動レバー４５の立ち上がり片４５ａに当接してシャッタ駆動レバー４５をシャッタチャージ位置に保持する。また、このときには、係止レバー４９の巻止め爪４９ｃが巻上げノブ５の外周の歯列５ａに噛合して、フイルム巻上げ操作を阻止している。
【００３４】
また、回転部材５１が半回転されたときには二歯ギヤ６３も半回転されるが、このときに二歯ギヤ６３は、枚数表示板４６を一目盛り分だけ時計方向に回転させる。枚数表示板４６の上面には、その回転ピッチに対応して枚数表示用の目盛りが設けられている。この目盛りはその時点で撮影可能なフイルム枚数、すなわち残数表示目盛りとなっているから、この目盛りを表示窓９を通して観察することによって残りコマ数を確認することができる。
【００３５】
シャッタボタン６が押下されると、押圧ロッド１８が係止レバー４９の立ち下がり片４９ｄを押圧して反時計方向（巻き止め解除位置）に向けて回動させる。これにより、係止レバー４９の下突条部４６ｂとシャッタ駆動レバー４５の立ち上がり片４５ａとの当接が解除されるので、シャッタ駆動レバー４５は捩じりバネ４８の付勢によって反時計方向に回動する。このときに、シャッタ駆動レバー４５の蹴飛ばしアーム４５ｂが、軸６５に揺動自在に組み付けられたシャッタ羽根５４を蹴飛ばして図中時計方向に回動させる。これにより、シャッタ開口６７が開放され、写真フイルム２２への露光が行われる。また、シャッタ羽根５４は引き戻しバネ６６の付勢によって反時計方向に回動されて、すぐにシャッタ開口６７を閉じる。
【００３６】
係止レバー４９が反時計方向に回動されると、巻き止め爪４９ｃが歯列５ａから退避し、爪部４９ａが溝６２ａから退避しているので、撮影済みの写真フイルム２２の巻き上げ操作が可能な状態となっている。巻上げノブ５をフイルム巻上げ方向（反時計方向）に回転操作すると、前述のように回転部材５１が半回転され、シャッタチャージと枚数表示板４６の一目盛り分の回動とが行われる。
【００３７】
以上のように撮影を繰り返し、最後のコマ４１への撮影が終了すると、枚数表示板４６の下面に形成されたカム４６ａが、係止レバー４９の立ち上がり突起４９ｅに当接して巻き止め解除位置内に保持するので、巻上げノブ５は回転が自由となり、写真フイルム２２をパトローネ２０内に全て巻き込むことができる。
【００３８】
次に上記実施例の作用について説明する。図２に示すレンズ付きフイルムユニット２を購入したユーザーは、始めに巻上げノブ５を回転操作して撮影準備を行う。巻上げノブ５が回転操作されると、図５に示すように、写真フイルム２２がパトローネ２０内に巻き上げられる。
【００３９】
写真フイルム２２の移動により、大パーフォレーション３９に噛合されていた大歯５６が押圧され、従動スプロケット５２が僅かに反時計方向に回動され、同軸に係合された回転部材５１も同方向に同量の回転を行う。このときには従動スプロケット５２の各歯５６，５７と、パーフォレーション３９，４０とは全く噛合していない状態となり、板バネ５３は回転部材５１の被押圧部６０の突起６０ａを押圧して、回転部材５１を反時計方向に回転させる。さらに写真フイルム２２を移動すると、従動スプロケット５２の小歯５７が次の小パーフォレーション４０に噛合し、大歯５６が大パーフォレーション３９に噛合する。巻上げノブ５の回転操作が開始されてから大歯５６が大パーフォレーション３９に噛合するまでの間に、回転部材５１は反時計方向に半回転される。
【００４０】
回転部材５１が半回転する間には、シャッタチャージカム６１がシャッタ駆動レバー４５を捩じりバネ４８の付勢に抗して時計方向に回動させる。また、係止レバー４９は、捩じりバネ４８の付勢によって時計方向に回動して爪部４９ａを巻止めカム６２の溝６２に係合させて回転部材５１の回転をロックする。また、このときに係止レバー４９は、下突条部４９ｂをシャッタ駆動レバー４５の立ち上がり片４５ａに当接させてシャッタ駆動レバー４５をチャージ位置に保持し、更に、巻止め爪４９ｃを巻上げノブ５の外周の歯列５ａに噛合させて、巻上げノブ５の回転操作を阻止する。これにより、レンズ付きフイルムユニット２の撮影準備が完了する。
【００４１】
その後、ファインダ８で撮影範囲を確認し、シャッタボタン６を押下すると、押圧ロッド１８が係止レバー４９の立ち下がり片４９ｄを押圧して反時計方向（巻き止め解除位置）に向けて回動させる。これにより、係止レバー４９の下突条部４６ｂとシャッタ駆動レバー４５の立ち上がり片４５ａとの当接が解除されるので、シャッタ駆動レバー４５は捩じりバネ４８の付勢によって反時計方向に回転する。このときに、シャッタ駆動レバー４５の蹴飛ばしアーム４５ｂが、軸６５に揺動自在に組み付けられたシャッタ羽根５４を蹴飛ばして図中時計方向に回動させる。これにより、シャッタ開口６７が開放され、写真フイルム２２への露光が行われる。また、シャッタ羽根５４は引き戻しバネ６６の付勢によって反時計方向に回動されて、すぐにシャッタ開口６７を閉じる。
【００４２】
１コマ分の撮影が終了した時点では、巻き止め爪４９ｃが歯列５ａから退避し、爪部４９ａが溝６２ａから退避しているので、撮影済みの写真フイルム２２の巻き上げ操作が可能な状態となっている。巻上げノブ５をフイルム巻上げ方向（反時計方向）に回転操作すると、前述のように回転部材５１が半回転され、シャッタチャージと枚数表示板４６の一目盛り分の回動とが行われる。
【００４３】
また、何らかの不具合により、小歯５７が小パーフォレーション４０に噛合できずに大パーフォレーション３９に噛合し、大歯５６が写真フイルム２２の平面部に突き当たっても、図１に２点鎖線で示すように、大歯５６は一端５６ａで弾性変形するので従動スプロケット５２の回転は可能であり、写真フイルム２２の１コマ分のズレという被害だけでレンズ付きフイルムユニット２が使用不可能になることを防止できる。
【００４４】
以上のように撮影と写真フイルムの巻き上げとを繰り返し、最後のコマ４１ａへの撮影が終了すると、枚数表示板４６の下面に形成されたカム４６ａが、係止レバー４９の立ち上がり突起４９ｅに当接して巻き止め解除位置内に保持するので、巻上げノブ５は回転が自由となり、写真フイルム２２をパトローネ２０内に全て巻き込むことができる。
【００４５】
通常、使用済みのレンズ付きフイルムユニット２は、ユーザーによって現像取扱店等に同時プリントの依頼が行なわれるが、ユーザーの中にはレンズ付きフイルムユニット２から写真フイルムパトローネ１６を自分で取り出し、市販の写真フイルムパトローネを詰め替えて再使用を図ることがある。しかしながら、図１に示すように、従動スプロケット５２の大歯５６の幅Ｗは、市販の写真フイルムの標準サイズのパーフォレーション５８に噛合できない大きさとなっているため、写真フイルムの詰め替えを行うことはできない。また、大歯５６にパーフォレーション５８に噛合できるように切削加工が施されると、大歯５６は円周面５２ａに連結されている一端５６ａが破断されて取れてしまうので、従動スプロケット５２は機能を失ってしまう。これにより、不確実な遮光能しか得られない写真フイルムの詰め替えを確実に防止することができる。
【００４６】
上記実施例では、１コマあたりにサイズの異なる２個のパーフォレーションを設けた写真フイルムをレンズ付きフイルムユニット専用としているが、レンズ付きフイルムユニット用の写真フイルムはこれに限らず、１コマあたりに１個の大パーフォレーションと複数の小パーフォレーションとを設けたものでもよい。また、１コマあたり１個のパーフォレーションを設けた写真フイルムでもよい。これらの場合には、パーフォレーションの形状及び数に合わせて従動スプロケットの歯の形状及び数を決めればよい。
【００４７】
また、レンズ付きフイルムユニット用の写真フイルムのパーフォレーションの形状としては、市販の写真フイルムのパーフォレーションに対してフイルム幅方向の長さを異ならせた形状としてもよい。また、大きさを異ならせる他に、例えば丸や三角等、形状を異ならせたものでものよいが、いずれの場合も市販の写真フイルムのパーフォレーションに噛合できるように従動スプロケットの歯に追加工が施されたときに、歯が破壊されるなどして従動スプロケットとしての機能を失うようにする。
【００４８】
【発明の効果】
以上説明したように、本発明のレンズ付きフイルムユニットは、使用後に市販の写真フイルムパトローネを詰め替えようとしても、市販の写真フイルムの標準サイズのパーフォレーションと従動スプロケットの大歯との大きさが合わないので詰め替えはできない。また、従動スプロケットの大歯を標準サイズのパーフォレーションに噛合できるように加工しても、大歯は肉抜きされているので破断して取れてしまいやはり詰め替えはできない。
【００４９】
また、従動スプロケットの歯とパーフォレーションとの噛合が外れて、大歯が写真フイルムの平面部に突き当たっても、大歯は従動スプロケット内に入り込む方向に弾性変形するので従動スプロケットはそのまま回転することができ、１コマ分のコマ送りミスだけでレンズ付きフイルムユニットが使用不可能になることを防止できる。
【図面の簡単な説明】
【図１】従動スプロケットの歯と写真フイルムのパーフォレーションとの大きさの関係を示す説明図である。
【図２】本発明のレンズ付きフイルムユニットの外観を示す斜視図である。
【図３】ユニット本体の構成を示す分解斜視図である。
【図４】写真フイルムパトローネの構成を示す説明図である。
【図５】フイルム巻上げ機構の構成を示す分解斜視図である。
【符号の説明】
２  レンズ付きフイルムユニット
１６  写真フイルムパトローネ
２２  写真フイルム
３９  大パーフォレーション
４０  小パーフォレーション
５２  従動スプロケット
５６  大歯
５７  小歯
【図１】
0003650640.tif 000002
【図２】
0003650640.tif 000003
【図３】
0003650640.tif 000004
【図４】
0003650640.tif 000005
【図５】
0003650640.tif 000006